(57)【要約】【課題】  第１スイッチ及び第２スイッチの切り替えが異なる動作で行われつつ、第１スイッチを第１状態から第２状態へ切り替えた状態で、第２スイッチを第１状態から第２状態へ切り替えることができるスイッチ装置を提供する。【解決手段】  スイッチ装置においては、第１スイッチは、第１端部が第１待機位置から下方に移動して第１操作位置に位置することによって、第１状態から第２状態へ切り替えられ、第２スイッチは、第１端部が第１操作位置に位置する状態で第２端部が第２待機位置から下方に移動して第２操作位置に位置することによって、第１状態から第２状態へ切り替えられる。【選択図】  図５
2020027685.tif 000002
【特許請求の範囲】
【請求項１】
オンオフ状態を切り替える第１スイッチ及び第２スイッチと、
前記第１スイッチ及び前記第２スイッチを支持する支持部と、
前記支持部よりも上方に配置され、第１端部が前記支持部に対して上下方向に移動可能なように、前記支持部に対して回動可能な操作部と、
前記支持部と前記操作部とを接続し、前記操作部の第２端部が前記支持部に対して上下方向に移動可能なように、前記支持部に上下方向に案内される接続部と、
前記操作部の第１端部が第１待機位置に位置し且つ前記操作部の第２端部が第２待機位置に位置するように、前記操作部に上方への力を加える弾性部と、を備え、
前記第１スイッチは、前記第１端部が前記第１待機位置から下方に移動して第１操作位置に位置することによって、第１状態から第２状態へ切り替えられ、
前記第２スイッチは、前記第１端部が前記第１操作位置に位置する状態で前記第２端部が前記第２待機位置から下方に移動して第２操作位置に位置することによって、第１状態から第２状態へ切り替えられる、スイッチ装置。
【請求項２】
オンオフ状態を切り替える第１スイッチ及び第２スイッチと、
前記第１スイッチ及び前記第２スイッチを支持する支持部と、
前記支持部よりも上方に配置され、第２端部が前記支持部に対して上下方向に移動可能なように、前記支持部に対して回動可能な操作部と、
前記支持部と前記操作部とを接続し、前記操作部の第１端部が前記支持部に対して上下方向に移動可能なように、前記支持部に上下方向に案内される接続部と、
前記操作部の第１端部が第１待機位置に位置し且つ前記操作部の第２端部が第２待機位置に位置するように、前記操作部に上方への力を加える弾性部と、を備え、
前記第１スイッチは、前記第１端部が前記第１待機位置から下方に移動して第１操作位置に位置することによって、第１状態から第２状態へ切り替えられ、
前記第２スイッチは、前記第１端部が前記第１操作位置に位置する状態で前記第２端部が前記第２待機位置から下方に移動して第２操作位置に位置することによって、第１状態から第２状態へ切り替えられる、スイッチ装置。
【請求項３】
前記接続部は、前記操作部から突出し且つ前記支持部に接続される軸部を備え、
前記支持部は、前記軸部が挿入され且つ前記軸部を上下方向に案内する案内孔部を備える、請求項１又は２に記載のスイッチ装置。
【請求項４】
前記第１端部が前記第１待機位置に位置する状態で前記第２端部が前記第２待機位置から前記第２操作位置に移動する際に、前記第２スイッチが前記第１状態から前記第２状態へ切り替えられることを阻止する阻止機構を備える、請求項１〜３の何れか１項に記載のスイッチ装置。
【請求項５】
前記阻止機構は、前記支持部と前記操作部との間に配置され且つ前記支持部に回動可能に接続される回動部を備え、
前記回動部は、回動中心よりも前記第１端部側に配置される第１回動部分と、回動中心よりも前記第２端部側に配置される第２回動部分と、を備え、
前記第１スイッチは、前記第１回動部分に固定され、
前記第２スイッチは、前記第２回動部分に固定され、
前記第１回動部分は、前記第１端部が前記第１操作位置に位置する際に、前記操作部と前記支持部とに挟まれる、請求項４に記載のスイッチ装置。
【請求項６】
前記第２スイッチは、前記第１端部が前記第１待機位置に位置する状態で前記第２端部が前記第２待機位置から前記第２操作位置に移動する際に、前記第２スイッチの前記第１状態が維持されるように、配置される、請求項１〜３の何れか１項に記載のスイッチ装置。
【請求項７】
前記第１端部が前記第１待機位置に位置し且つ前記第２端部が前記第２待機位置に位置する際に、前記弾性部が前記第２端部に加える上方への力は、前記弾性部が前記第１端部に加える上方への力よりも、大きい、請求項１〜６の何れか１項に記載のスイッチ装置。
【請求項８】
対象物を挟んでシールする一対のシール部と、
前記一対のシール部が互いに接近するように、前記一対のシール部の少なくとも一方を動作させるシール動作部と、
前記一対のシール部の少なくとも一方を加熱するために動作する加熱動作部と、
請求項１〜７の何れか１項に記載のスイッチ装置と、を備え、
前記シール動作部は、前記第１スイッチが前記第１状態から前記第２状態に切り替わることによって、前記一対のシール部の少なくとも一方の動作を開始し、
前記加熱動作部は、前記第１スイッチが前記第２状態で且つ前記第２スイッチが前記第１状態から前記第２状態に切り替わることによって、加熱するための動作を開始する、シール装置。
【発明の詳細な説明】
【技術分野】
【０００１】
本発明は、スイッチ装置及びシール装置に関する。
【背景技術】
【０００２】
従来、例えば、スイッチ装置は、オンオフ状態を切り替える第１スイッチ及び第２スイッチを備えている。そして、スイッチ装置は、第１スイッチ及び第２スイッチを支持する支持部と、支持部よりも上方に配置され、支持部に対して回動可能な操作部とを備えている（例えば、特許文献１及び２）。
【０００３】
特許文献１に係るスイッチ装置においては、操作部の第１端部が下方に移動することによって、第１スイッチがオフからオンへ切り替えられ、操作部の第１端部がさらに下方に移動することによって、第２スイッチがオフからオンへ切り替えられる。斯かる構成においては、第１スイッチ及び第２スイッチの切り替えが、同じ動作（操作部の第１端部を下方に移動させる動作）で行われるため、例えば、操作部に加える力の大きさを誤った場合には、誤操作する可能性がある。
【０００４】
一方、特許文献２に係るスイッチ装置においては、操作部の第１端部が下方に移動することによって、第１スイッチがオフからオンへ切り替えられ、操作部の第２端部が下方に移動位置することによって、第２スイッチがオフからオンへ切り替えられる。斯かる構成においては、第１スイッチの切り替えと第２スイッチの切り替えとが、異なる動作（操作部の第１端部を下方に移動させる動作と、操作部の第２端部を下方に移動させる動作）で行われるため、誤操作する可能性を低下させることができる。
【０００５】
ところで、例えば、第１スイッチと第２スイッチとの両方がオフ（第１状態）からオン（第２状態）になることで、重要な動作を開始させたいという要望もある。しかしながら、特許文献２に係るスイッチ装置においては、第１スイッチをオフ（第１状態）からオン（第２状態）へ切り替えた状態で、第２スイッチをオフ（第１状態）からオン（第２状態）へ切り替えることはできない。
【先行技術文献】
【特許文献】
【０００６】
【特許文献１】特開平１０−２３４７６９号公報
【特許文献２】特開平１−２０９０６２号公報
【発明の概要】
【発明が解決しようとする課題】
【０００７】
そこで、課題は、第１スイッチ及び第２スイッチの切り替えが異なる動作で行われつつ、第１スイッチを第１状態から第２状態へ切り替えた状態で、第２スイッチを第１状態から第２状態へ切り替えることができるスイッチ装置及びシール装置を提供することである。
【課題を解決するための手段】
【０００８】
スイッチ装置は、オンオフ状態を切り替える第１スイッチ及び第２スイッチと、前記第１スイッチ及び前記第２スイッチを支持する支持部と、前記支持部よりも上方に配置され、第１端部が前記支持部に対して上下方向に移動可能なように、前記支持部に対して回動可能な操作部と、前記支持部と前記操作部とを接続し、前記操作部の第２端部が前記支持部に対して上下方向に移動可能なように、前記支持部に上下方向に案内される接続部と、前記操作部の第１端部が第１待機位置に位置し且つ前記操作部の第２端部が第２待機位置に位置するように、前記操作部に上方への力を加える弾性部と、を備え、前記第１スイッチは、前記第１端部が前記第１待機位置から下方に移動して第１操作位置に位置することによって、第１状態から第２状態へ切り替えられ、前記第２スイッチは、前記第１端部が前記第１操作位置に位置する状態で前記第２端部が前記第２待機位置から下方に移動して第２操作位置に位置することによって、第１状態から第２状態へ切り替えられる。
【０００９】
また、スイッチ装置は、オンオフ状態を切り替える第１スイッチ及び第２スイッチと、前記第１スイッチ及び前記第２スイッチを支持する支持部と、前記支持部よりも上方に配置され、第２端部が前記支持部に対して上下方向に移動可能なように、前記支持部に対して回動可能な操作部と、前記支持部と前記操作部とを接続し、前記操作部の第１端部が前記支持部に対して上下方向に移動可能なように、前記支持部に上下方向に案内される接続部と、前記操作部の第１端部が第１待機位置に位置し且つ前記操作部の第２端部が第２待機位置に位置するように、前記操作部に上方への力を加える弾性部と、を備え、前記第１スイッチは、前記第１端部が前記第１待機位置から下方に移動して第１操作位置に位置することによって、第１状態から第２状態へ切り替えられ、前記第２スイッチは、前記第１端部が前記第１操作位置に位置する状態で前記第２端部が前記第２待機位置から下方に移動して第２操作位置に位置することによって、第１状態から第２状態へ切り替えられる。
【００１０】
また、スイッチ装置においては、前記接続部は、前記操作部から突出し且つ前記支持部に接続される軸部を備え、前記支持部は、前記軸部が挿入され且つ前記軸部を上下方向に案内する案内孔部を備える、という構成でもよい。
【００１１】
また、スイッチ装置は、前記第１端部が前記第１待機位置に位置する状態で前記第２端部が前記第２待機位置から前記第２操作位置に移動する際に、前記第２スイッチが前記第１状態から前記第２状態へ切り替えられることを阻止する阻止機構を備える、という構成でもよい。
【００１２】
また、スイッチ装置においては、前記阻止機構は、前記支持部と前記操作部との間に配置され且つ前記支持部に回動可能に接続される回動部を備え、前記回動部は、回動中心よりも前記第１端部側に配置される第１回動部分と、回動中心よりも前記第２端部側に配置される第２回動部分と、を備え、前記第１スイッチは、前記第１回動部分に固定され、前記第２スイッチは、前記第２回動部分に固定され、前記第１回動部分は、前記第１端部が前記第１操作位置に位置する際に、前記操作部と前記支持部とに挟まれる、という構成でもよい。
【００１３】
また、スイッチ装置においては、前記第２スイッチは、前記第１端部が前記第１待機位置に位置する状態で前記第２端部が前記第２待機位置から前記第２操作位置に移動する際に、前記第２スイッチの前記第１状態が維持されるように、配置される、という構成でもよい。
【００１４】
また、スイッチ装置においては、前記第１端部が前記第１待機位置に位置し且つ前記第２端部が前記第２待機位置に位置する際に、前記弾性部が前記第２端部に加える上方への力は、前記弾性部が前記第１端部に加える上方への力よりも、大きい、という構成でもよい。
【００１５】
また、シール装置は、対象物を挟んでシールする一対のシール部と、前記一対のシール部が互いに接近するように、前記一対のシール部の少なくとも一方を動作させるシール動作部と、前記一対のシール部の少なくとも一方を加熱するために動作する加熱動作部と、前記のスイッチ装置と、を備え、前記シール動作部は、前記第１スイッチが前記第１状態から前記第２状態に切り替わることによって、前記一対のシール部の少なくとも一方の動作を開始し、前記加熱動作部は、前記第１スイッチが前記第２状態で且つ前記第２スイッチが前記第１状態から前記第２状態に切り替わることによって、加熱するための動作を開始する。
【図面の簡単な説明】
【００１６】
【図１】図１は、一実施形態に係るシール装置の全体斜視図である。
【図２】図２は、同実施形態に係るスイッチ装置の全体斜視図である。
【図３】図３は、同実施形態に係るスイッチ装置の全体正面図である。
【図４】図４は、図２のIV−IV線の拡大断面図である。
【図５】図５は、同実施形態に係るスイッチ装置の斜視図であって、操作部を図示していない図である。
【図６】図６は、同実施形態に係るスイッチ装置の要部縦断面図であって、操作部の両端部が待機位置に位置する図である。
【図７】図７は、同実施形態に係るスイッチ装置の要部縦断面図であって、操作部の第１端部が操作位置に位置し且つ操作部の第２端部が待機位置に位置する図である。
【図８】図８は、同実施形態に係るスイッチ装置の要部縦断面図であって、操作部の両端部が操作位置に位置する図である。
【図９】図９は、同実施形態に係るスイッチ装置の要部縦断面図であって、操作部の第１端部が待機位置に位置し且つ操作部の第２端部が操作位置に位置する図である。
【図１０】図１０は、他の実施形態に係るスイッチ装置の要部縦断面図であって、操作部の両端部が待機位置に位置する図である。
【図１１】図１１は、同実施形態に係るスイッチ装置の要部縦断面図であって、操作部の第１端部が操作位置に位置し且つ操作部の第２端部が待機位置に位置する図である。
【図１２】図１２は、同実施形態に係るスイッチ装置の要部縦断面図であって、操作部の両端部が操作位置に位置する図である。
【図１３】図１３は、同実施形態に係るスイッチ装置の要部縦断面図であって、操作部の第１端部が待機位置に位置し且つ操作部の第２端部が操作位置に位置する図である。
【図１４】図１４は、さらに他の実施形態に係るスイッチ装置の要部縦断面図であって、操作部の両端部が待機位置に位置する図である。
【図１５】図１５は、同実施形態に係るスイッチ装置の要部縦断面図であって、操作部の第１端部が操作位置に位置し且つ操作部の第２端部が待機位置に位置する図である。
【図１６】図１６は、同実施形態に係るスイッチ装置の要部縦断面図であって、操作部の両端部が操作位置に位置する図である。
【図１７】図１７は、同実施形態に係るスイッチ装置の要部縦断面図であって、操作部の第１端部が待機位置に位置し且つ操作部の第２端部が操作位置に位置する図である。
【図１８】図１８は、さらに他の実施形態に係るスイッチ装置の全体斜視図である。
【図１９】図１９は、同実施形態に係るスイッチ装置の斜視図であって、操作部を図示していない図である。
【図２０】図２０は、さらに他の実施形態に係るスイッチ装置の全体斜視図である。
【図２１】図２１は、同実施形態に係るスイッチ装置の全体斜視図であって、操作部の一部を切除した図である。
【図２２】図２２は、さらに他の実施形態に係るスイッチ装置の要部縦断面図であって、操作部の両端部が待機位置に位置する図である。
【図２３】図２３は、同実施形態に係るスイッチ装置の要部縦断面図であって、操作部の第１端部が操作位置に位置し且つ操作部の第２端部が待機位置に位置する図である。
【図２４】図２４は、同実施形態に係るスイッチ装置の要部縦断面図であって、操作部の両端部が操作位置に位置する図である。
【図２５】図２５は、同実施形態に係るスイッチ装置の要部縦断面図であって、操作部の第１端部が待機位置に位置し且つ操作部の第２端部が操作位置に位置する図である。
【発明を実施するための形態】
【００１７】
以下、シール装置及びスイッチ装置における一実施形態について、図１〜図９を参照しながら説明する。なお、各図（図１０〜図２５も同様）において、図面の寸法比と実際の寸法比とは、必ずしも一致しておらず、また、各図面の間での寸法比も、必ずしも一致していない。
【００１８】
図１に示すように、本実施形態に係るシール装置１は、対象物を挟んでシールするために、互いに接離（接近・離反）する一対のシール部１ａ，１ｂと、一対のシール部１ａ，１ｂが互いに接近するように、第１シール部１ａを動作させるシール動作部１ｃとを備えている。また、シール装置１は、第２シール部１ｂを加熱するために動作する加熱動作部１ｄと、内部に各部１ｃ，１ｄを収容する筐体１ｅを備えている。
【００１９】
なお、本実施形態においては、第１シール部１ａが筐体１ｅに対して移動することによって、一対のシール部１ａ，１ｂが互いに接近する、という構成であるが、斯かる構成に限られない。例えば、第２シール部１ｂが筐体１ｅに対して移動する、という構成でもよく、また、例えば、第１シール部１ａ及び第２シール部１ｂの両方が筐体１ｅに対して移動する、という構成でもよい。
【００２０】
また、本実施形態においては、加熱動作部１ｄは、第２シール部１ｂを加熱する、という構成であるが、斯かる構成に限られない。例えば、加熱動作部１ｄは、第１シール部１ａを加熱する、という構成でもよく、また、例えば、加熱動作部１ｄは、第１シール部１ａ及び第２シール部１ｂの両方を加熱する、という構成でもよい。
【００２１】
また、加熱動作部１ｄの構成は、特に限定されない。例えば、加熱動作部１ｄは、弁であって、動作することによって、第２シール部１ｂに蒸気を供給する、という構成でもよい。また、例えば、加熱動作部１ｄは、スイッチ機構であって、動作することによって、第２シール部１ｂに配置される電気ヒータに電気を供給する、という構成でもよい。
【００２２】
また、シール装置１は、シール動作部１ｃ及び加熱動作部１ｄを動作させるために操作されるスイッチ装置２と、スイッチ装置２と各部１ｃ，１ｄとを接続する伝達部１ｆとを備えている。スイッチ装置２は、オンオフ状態を切り替える第１スイッチ３及び第２スイッチ４と、第１スイッチ３及び第２スイッチ４を支持する支持部５と、操作される操作部６とを備えている。本実施形態においては、スイッチ装置２は、足で操作されるフットスイッチ装置である。
【００２３】
シール動作部１ｃは、第１スイッチ３がオフ（第１状態）からオン（第２状態）に切り替わることによって、第１シール部１ａの動作を開始する。そして、加熱動作部１ｄは、第１スイッチ３がオンで且つ第２スイッチ４がオフ（第１状態）からオン（第２状態）に切り替わることによって、加熱するための動作を開始する。
【００２４】
斯かる構成によれば、第１スイッチ３がオフからオンに切り替わることによって、第１シール部１ａが下方に移動する。これにより、対象物が一対のシール部１ａ，１ｂに挟まれる。そして、第１スイッチ３がオフで且つ第２スイッチ４がオフからオンに切り替わることによって、第２シール部１ｂが加熱される。
【００２５】
これにより、対象物が一対のシール部１ａ，１ｂに挟まれた後に、第２シール部１ｂが加熱される。したがって、例えば、対象物が一対のシール部１ａ，１ｂに挟まれる前に第２シール部１ｂが加熱される、というような誤操作が行われることを防止することができる。
【００２６】
なお、第１スイッチ３がオフからオンに切り替わることによって、第１シール部１ａが下方に移動し、対象物が一対のシール部１ａ，１ｂに挟まれた後で、第２スイッチ４がオフからオンに切り替わることなく（オフのままで）、第１スイッチ３がオンからオフに戻る場合がある。斯かる場合には、第１シール部１ａが上方に移動し、一対のシール部１ａ，１ｂが互いに離反する。
【００２７】
また、スイッチ装置２が、後述する阻止機構７（図４及び図５参照）を備えているため、第１スイッチ３がオフである際に、第２スイッチ４がオンになることを阻止される。なお、仮に、第１スイッチ３がオフで且つ第２スイッチ４がオンになった場合でも、シール装置１（シール動作部１ｃ及び加熱動作部１ｄ）は、何も動作しないように、構成されていてもよい。
【００２８】
次に、スイッチ装置２の構成について、図２〜図５を参照しながら説明する。
【００２９】
図２〜図５に示すように、スイッチ装置２は、支持部５と操作部６とを接続する接続部８と、弾性変形することによって、操作部６に上方への力を加える弾性部９とを備えている。また、スイッチ装置２は、線材や管材である伝達部１ｆ（図１参照）を保持する保持部１０を備えている。
【００３０】
スイッチ３，４は、本体部３ａ，４ａと、本体部３ａ，４ａに対して移動可能な可動部３ｂ，４ｂと、伝達部１ｆに接続される入力部３ｃ，４ｃ及び出力部３ｄ，４ｄとを備えている。そして、可動部３ｂ，４ｂが本体部３ａ，４ａに対して移動することによって、スイッチ３，４は、オンオフ状態を切り替える。
【００３１】
本実施形態においては、スイッチ３，４は、メカニカルバルブとしており、伝達部１ｆは、圧縮エア又は作動油が流通する管材としている。そして、可動部３ｂ，４ｂが本体部３ａ，４ａの内部に向けて移動することにより、スイッチ３，４がオフからオンに切り替わり、本体部３ａ，４ａの内部で、入力部３ｃ，４ｃと出力部３ｄ，４ｄとが連通する。
【００３２】
操作部６は、支持部５よりも上方に配置されている。そして、操作部６は、第１端部６ａ及び第２端部６ｂと、第１端部６ａと第２端部６ｂとの間に配置される中央部６ｃとを備えている。例えば、第１端部６ａ、第２端部６ｂ及び中央部６ｃは、操作部６を操作部６の長手方向Ｄ１を三等分したそれぞれの領域のことである。そして、操作部６の第１端部６ａは、上下方向Ｄ３において、第１スイッチ部３（特に、可動部３ｂ）と重なっており、操作部６の第２端部６ｂは、上下方向Ｄ３において、第２スイッチ部４（特に、可動部４ｂ）と重なっている。
【００３３】
操作部６は、上方に位置して操作される操作面部６ｄと、第１端部６ａで操作面部６ｄから突出する第１操作壁６ｅと、第２端部６ｂで操作面部６ｄから突出する第２操作壁６ｆと、第１操作壁６ｅから第２操作壁６ｆまで亘って、操作面部６ｄからそれぞれ突出する一対の第３操作壁６ｇ，６ｇとを備えている。第１及び第２操作壁６ｅ，６ｆは、操作面部６ｄの長手方向Ｄ１の端部から下方に向けて突出されており、第３操作壁６ｇのそれぞれは、操作面部６ｄの短手方向Ｄ２の端部から下方に向けて突出されている。
【００３４】
支持部５は、下方に位置している底面部５ａと、操作部６の第１端部６ａ側で底面部５ａから突出する第１支持壁５ｂと、操作部６の第２端部６ｂ側で底面部５ａから突出する第２支持壁５ｃと、第１支持壁５ｂから第２支持壁５ｃまで亘って、底面部５ａからそれぞれ突出する一対の第３支持壁５ｄ，５ｄとを備えている。第１及び第２支持壁５ｂ，５ｃは、底面部５ａの長手方向Ｄ１の端部から上方に向けて突出されており、第３支持壁５ｄのそれぞれは、底面５ａの短手方向Ｄ２の端部から上方に向けて突出されている。
【００３５】
接続部８は、操作部６から突出する軸部８ａを備えている。そして、軸部８ａは、操作部６に接続されていると共に、支持部５に接続されている。具体的には、操作部６は、それぞれの第３操作壁６ｇに、貫通する孔部６ｈを備え、支持部５は、それぞれの第３支持壁５ｄに、貫通する案内孔部５ｅを備え、軸部８ａは、それぞれの孔部６ｈ及び案内孔部５ｅに挿通されている。なお、接続部８は、軸部８ａを操作部６に固定されるための固定具８ｂを備えている。
【００３６】
孔部６ｈが円形状であるため、操作部６は、軸部８ａに対して回動可能である。これにより、操作部６は、支持部５に対して回動可能である。そして、操作部６が、第２端部６ｂで軸部８ａに接続されているため、操作部６が軸部８ａを中心に回動することによって、操作部６の第１端部６ａは、支持部５に対して上下方向Ｄ３に移動可能である。なお、操作部６の第１端部６ａが所定位置よりも下方に移動することを規制するために、支持部５の第１支持壁５ｂは、操作部６の第１端部６ａを止める第１停止部５ｆを備えている。
【００３７】
また、案内孔部５ｅが、上下方向Ｄ３に沿って延びているため、軸部８ａは、案内孔部５ｅの内部を上下方向Ｄ３に移動可能である。これにより、案内孔部５ｅの内周面が、軸部８ａの外周面を上下方向Ｄ３に沿って案内することによって、操作部６の第２端部６ｂは、支持部５に対して上下方向Ｄ３に移動可能である。なお、操作部６の第２端部６ｂが所定位置よりも下方に移動することを規制するために、支持部５の第２支持壁５ｃは、操作部６の第２端部６ｂを止める第２停止部５ｇを備えている。
【００３８】
阻止機構７は、支持部５の第２支持壁５ｃのそれぞれに連結される連結軸部７ａと、連結軸部７ａに回動可能に接続される回動部７ｂとを備えている。これにより、回動部７ｂは、支持部５と操作部６との間に配置されていると共に、支持部５に回動可能に接続されている。なお、阻止機構７は、連結軸部７ａを支持部５に固定させるための固定具７ｃを備えている。
【００３９】
回動部７ｂは、連結軸部７ａに接続される回動中心よりも操作部６の第１端部６ａ側に配置される第１回動部分７ｄと、回動中心よりも操作部６の第２端部６ｂ側に配置される第２回動部分７ｅとを備えている。そして、第１スイッチ３は、第１回動部分７ｄに固定されており、第２スイッチ４は、第２回動部分７ｅに固定されている。
【００４０】
そして、第１回動部分７ｄ側の重量が、第２回動部分７ｅ側の重量よりも、大きいため、回動部７ｂに外力が作用していない場合には、第１回動部分７ｄ（及び／又は第１スイッチ３）が支持部５の底面部５ａに接している。なお、第１回動部分７ｄ側の重量は、第１回動部分７ｄの重量及び第１スイッチ３の重量であり、第２回動部分７ｅ側の重量は、第２回動部分７ｅの重量及び第２スイッチ４の重量である。
【００４１】
弾性部９は、操作部６の第１端部６ａ側に配置される複数の第１弾性部材９ａと、操作部６の第２端部６ｂ側に配置される複数の第２弾性部材９ｂとを備えている。なお、弾性部材９ａ，９ｂは、弦巻バネである、という構成だけでなく、例えば、板バネである、という構成でもよく、また、例えば、ゴムである、という構成でもよい。
【００４２】
そして、操作部６に外力が作用していない場合には、弾性部９が操作部６の第２端部６ｂに加える上方への力は、弾性部９が操作部６の第１端部６ａに加える上方への力よりも、大きくなっている。斯かる構成とするために、本実施形態においては、第２弾性部材９ｂのばね定数は、第１弾性部材９ａのばね定数よりも、大きい、という構成としているが、斯かる構成に限れない。
【００４３】
例えば、第２弾性部材９ｂの長さが、第１弾性部材９ａの長さよりも、長い、という構成でもよい。即ち、操作部６が待機位置に位置する際に、第２弾性部材９ｂの弾性変形量が、第１弾性部材９ａの弾性変形量よりも、大きい、という構成でもよい。また、例えば、第１弾性部材９ａ及び第２弾性部材９ｂが同じ構成であって、第２弾性部材９ｂの個数が、第１弾性部材９ａの個数よりも、多い、という構成でもよい。
【００４４】
本実施形態に係るスイッチ装置２の構成については以上の通りであり、次に、本実施形態に係るスイッチ装置２の動作について、図６〜図９を参照しながら説明する。なお、一例として、操作部６の第１端部６ａ側に爪先側を向け且つ操作部６の第２端部６ｂ側に踵側を向けた状態で、操作部６の上に足を載せて操作する場合について、説明する。
【００４５】
図６に示すように、操作部６に外力が作用していない場合には、弾性部９が操作部６に上方への力を加えているため、操作部６は、待機位置に位置している。具体的には、操作部６の第１端部６ａは、第１待機位置に位置しており、操作部６の第２端部６ｂは、第２待機位置に位置してる。
【００４６】
このとき、弾性部９（特に、第２弾性部材９ｂ）が、操作部６を経由して、軸部８ａに上方への力を加えているため、軸部８ａは、支持部５の案内孔部５ｅの上端に加圧して接触している。これにより、弾性部９及び支持部５は、協働して、案内孔部５ｅの上端の位置で軸部８ａを保持している。
【００４７】
そして、まず、踵側に力を入れて踏み込むことによって、操作部６の第１端部６ａに、下方への力が加えられる。そして、軸部８ａが保持されているため、図７に示すように、操作部６は、軸部８ａを中心に回動する。これにより、操作部６の第１端部６ａは、第１待機位置から下方に移動し、支持部５の第１停止部５ｆに止められる第１操作位置に位置する。このとき、操作部６の第１端部６ａが、第１スイッチ３の可動部３ｂに接触し、さらに、可動部３ｂを押すため、第１スイッチ３は、オフからオンへ切り替えられる。
【００４８】
ところで、操作部６が待機位置に位置している際に、弾性部９が操作部６の第２端部６ｂに加える上方への力は、弾性部９が操作部６の第１端部６ａに加える上方への力よりも、大きくなっている。これにより、例えば、操作部６の中央部６ｃに、下方への力が加えられた場合でも、操作部６の第２端部６ｂ側ではなく、操作部６の第１端部６ａ側が下方に移動することを促すことができる。
【００４９】
なお、図７においては、支持部５の第１停止部５ｆは、第１支持壁５ｂの上端であり、操作部６の操作面部６ｄの下面を止めているが、斯かる構成に限られない。例えば、支持部５の第１停止部５ｆは、第１支持壁５ｂの外面であり、操作部６の第１操作壁６ｅの下端を止める、という構成でもよい。
【００５０】
次に、図７の状態から、爪先側に力を入れて踏み込むことによって、操作部６の第２端部６ｂに、下方への力が加えられる。これにより、図８に示すように、軸部８ａが支持部５の案内孔部５ｅに下方に案内される。その結果、操作部６の第２端部６ｂは、第２待機位置から下方に移動し、支持部５の第２停止部５ｇに止められる第２操作位置に位置する。
【００５１】
このとき、回動部７ｂの第１回動部分７ｄが、操作部６の操作面部６ｄと支持部５の底面部５ａとに挟まれて保持されているため、回動部７ｂの回動が規制されている。これにより、操作部６の第２端部６ｂは、第２スイッチ４の可動部４ｂに接触した後、さらに、可動部４ｂを押すことができる。したがって、第２スイッチ４は、オフからオンへ切り替えられる。
【００５２】
このように、第１スイッチ３及び第２スイッチ４の切り替えは、異なる動作で行われる。しかも、第１スイッチ３をオンからオフへ切り替えた状態で、第２スイッチ４をオンからオフへ切り替えることができる。したがって、第１スイッチ３と第２スイッチ４との両方がオンになることで、重要な動作を開始させることができるため、当該動作を誤動作させることを抑制することができる。そして、操作部６から足を外すと、操作部６は、弾性部９によって、待機位置に戻される。
【００５３】
なお、図８においては、支持部５の第２停止部５ｇは、第２支持壁５ｃの上端であり、操作部６の操作面部６ｄの下面を止めているが、斯かる構成に限られない。例えば、第２停止部５ｇは、第２支持壁５ｃの上端であり、操作部６の第２操作壁６ｆの内面を止める、という構成でもよい。
【００５４】
ところで、操作部６が待機位置に位置している状態で、誤って、爪先側に力を入れて踏み込むという場合がある。このとき、図９に示すように、操作部６の第１端部６ａが第１待機位置に位置しつつ、操作部６の第２端部６ｂは、第２待機位置から下方に移動し、支持部５の第２停止部５ｇに止められる第２操作位置に位置する。そして、操作部６の第２端部６ｂが、第２スイッチ４の可動部４ｂに接触する。
【００５５】
このとき、回動部７ｂの第１回動部分７ｄが、操作部６の操作面部６ｄから離れているため、回動部７ｂは、回動することができる。したがって、操作部６の第２端部６ｂが、第２スイッチ４の可動部４ｂに接触した後においては、操作部６の第２端部６ｂが下方に移動することに伴って、回動部７ｂが回動する。
【００５６】
これにより、回動部７ｂの第１回動部分７ｄが上方に移動し、回動部７ｂの第２回動部分７ｅが下方に移動する。その結果、第２スイッチ４の可動部４ｂが本体部４ａに対して移動しないため、第２スイッチ４は、オフを維持し、オンに切り替わることはない。なお、図９（図２５も同様）においては、回動部７ｂが回動していることを理解し易いように、第２スイッチ４が操作部６から離れた状態を図示している。
【００５７】
これにより、操作部６の第１端部６ａが第１待機位置に位置する状態で、操作部６の第２端部６ｂが第２操作位置に位置した場合でも、阻止機構７によって、第２スイッチ４がオフからオンへ切り替えられることを阻止することができる。したがって、第１スイッチ３がオフからオンへ切り替えられる前に、第２スイッチ４がオフからオンへ切り替えられることを防止することができる。
【００５８】
以上より、本実施形態に係るシール装置１は、対象物を挟んでシールする一対のシール部１ａ，１ｂと、前記一対のシール部１ａ，１ｂが互いに接近するように、前記一対のシール部１ａ，１ｂの少なくとも一方を動作させるシール動作部１ｃと、前記一対のシール部１ａ，１ｂの少なくとも一方を加熱するために動作する加熱動作部１ｄと、前記のスイッチ装置２と、を備え、前記シール動作部１ｃは、前記第１スイッチ３が前記第１状態（本実施形態においては、オフ）から前記第２状態（本実施形態においては、オン）に切り替わることによって、前記一対のシール部１ａ，１ｂの少なくとも一方の動作を開始し、前記加熱動作部１ｄは、前記第１スイッチ３が前記第２状態で且つ前記第２スイッチ４が前記第１状態（本実施形態においては、オフ）から前記第２状態（本実施形態においては、オン）に切り替わることによって、加熱するための動作を開始する。
【００５９】
斯かる構成によれば、第１スイッチ３が第１状態から第２状態に切り替わることによって、シール動作部１ｃが一対のシール部１ａ，１ｂの少なくとも一方の動作を開始する。これにより、一対のシール部１ａ，１ｂが互いに接近するため、対象物が一対のシール部１ａ，１ｂに挟まれる。
【００６０】
そして、第１スイッチ３が第２状態で且つ第２スイッチ４が第１状態から第２状態に切り替わることによって、加熱動作部１ｄは、加熱するための動作を開始する。これにより、対象物が一対のシール部１ａ，１ｂに挟まれた後に、一対のシール部１ａ，１ｂの少なくとも一方を加熱することができる。
【００６１】
そして、本実施形態に係るスイッチ装置２は、オンオフ状態を切り替える第１スイッチ３及び第２スイッチ４と、前記第１スイッチ３及び前記第２スイッチ４を支持する支持部５と、前記支持部５よりも上方に配置され、第１端部６ａが前記支持部５に対して上下方向Ｄ３に移動可能なように、前記支持部５に対して回動可能な操作部６と、前記支持部５と前記操作部６とを接続し、前記操作部６の第２端部６ｂが前記支持部５に対して上下方向Ｄ３に移動可能なように、前記支持部５に上下方向Ｄ３に案内される接続部８と、前記操作部６の第１端部６ａが第１待機位置に位置し且つ前記操作部６の第２端部６ｂが第２待機位置に位置するように、前記操作部６に上方への力を加える弾性部９と、を備え、前記第１スイッチ３は、前記第１端部６ａが前記第１待機位置から下方に移動して第１操作位置に位置することによって、第１状態から第２状態へ切り替えられ、前記第２スイッチ４は、前記第１端部６ａが前記第１操作位置に位置する状態で前記第２端部６ｂが前記第２待機位置から下方に移動して第２操作位置に位置することによって、第１状態から第２状態へ切り替えられる。
【００６２】
斯かる構成によれば、操作部６が支持部５に対して回動することによって、操作部６の第１端部６ａが第１待機位置から下方に移動して第１操作位置に位置する。これにより、第１スイッチ３は、第１状態から第２状態へ切り替えられる。
【００６３】
そして、操作部６の第１端部６ａが第１操作位置に位置する状態で、接続部８が支持部５に下方に案内されることによって、操作部６の第２端部６ｂが第２待機位置から下方に移動して第２操作位置に位置する。これにより、第２スイッチ４は、第１状態から第２状態へ切り替えられる。
【００６４】
このように、第１スイッチ３及び第２スイッチ４の切り替えは、異なる動作で行われる。しかも、第１スイッチ３を第１状態から第２状態へ切り替えた状態で、第２スイッチ４を第１状態から第２状態へ切り替えることができる。
【００６５】
また、本実施形態に係るスイッチ装置２においては、前記接続部８は、前記操作部６から突出し且つ前記支持部５に接続される軸部８ａを備え、前記支持部５は、前記軸部８ａが挿入され且つ前記軸部８ａを上下方向Ｄ３に案内する案内孔部５ｅを備える、という構成である。
【００６６】
斯かる構成によれば、軸部８ａが支持部５に接続されるため、操作部６は、支持部５に対して回動可能に構成されている。そして、軸部８ａが案内孔部５ｅに挿入され、案内孔部５ｅは、軸部８ａを上下方向Ｄ３に案内する。これにより、操作部６は、支持部５に対して上下方向Ｄ３に移動可能に構成されている。
【００６７】
また、本実施形態に係るスイッチ装置２は、前記第１端部６ａが前記第１待機位置に位置する状態で前記第２端部６ｂが前記第２待機位置から前記第２操作位置に移動する際に、前記第２スイッチ４が前記第１状態から前記第２状態へ切り替えられることを阻止する阻止機構７を備える、という構成である。
【００６８】
斯かる構成によれば、操作部６の第１端部６ａが第１待機位置に位置する状態で、操作部６の第２端部６ｂが第２待機位置から第２操作位置に移動する際に、阻止機構７は、第２スイッチ４が第１状態から第２状態へ切り替えられることを阻止する。これにより、第１スイッチ３が第１状態から第２状態へ切り替えられる前に、第２スイッチ４が第１状態から第２状態へ切り替えられることを防止することができる。
【００６９】
また、本実施形態に係るスイッチ装置２においては、前記阻止機構７は、前記支持部５と前記操作部６との間に配置され且つ前記支持部５に回動可能に接続される回動部７ｂを備え、前記回動部７ｂは、回動中心よりも前記第１端部６ａ側に配置される第１回動部分７ｄと、回動中心よりも前記第２端部６ｂ側に配置される第２回動部分７ｅと、を備え、前記第１スイッチ３は、前記第１回動部分７ｄに固定され、前記第２スイッチ４は、前記第２回動部分７ｅに固定され、前記第１回動部分７ｄは、前記第１端部６ａが前記第１操作位置に位置する際に、前記操作部６と前記支持部５とに挟まれる、という構成である。
【００７０】
斯かる構成によれば、操作部６の第１端部６ａが第１待機位置に位置する状態で、操作部６の第２端部６ｂが第２待機位置から第２操作位置に移動する際に、回動部７ｂは、操作部６の動作に伴って、回動する。これにより、第２スイッチ４が第１状態から第２状態へ切り替えられることが、阻止される。
【００７１】
一方で、操作部６の第１端部６ａが第１操作位置に位置する際に、回動部７ｂの第１回動部分７ｄが、操作部６と支持部５とに挟まれるため、回動部７ｂの回動が規制されている。これにより、その状態から、操作部６の第２端部６ｂが第２待機位置から第２操作位置に移動した際には、第２スイッチ４が第１状態から第２状態へ切り替えられる。
【００７２】
また、本実施形態に係るスイッチ装置２においては、前記第１端部６ａが前記第１待機位置に位置し且つ前記第２端部６ｂが前記第２待機位置に位置する際に、前記弾性部９が前記第２端部６ｂに加える上方への力は、前記弾性部９が前記第１端部６ａに加える上方への力よりも、大きい、という構成である。
【００７３】
斯かる構成によれば、操作部６の両端部６ａ，６ｂが待機位置に位置する際に、操作部６の第２端部６ｂを下方に移動させるために必要な力は、操作部６の第１端部６ａを下方に移動させるために必要な力よりも、大きくなる。これにより、操作部６の第２端部６ｂが下方に移動するよりも、操作部６の第１端部６ａが下方に移動することを促すことができる。
【００７４】
なお、シール装置１及びスイッチ装置２は、上記した実施形態の構成に限定されるものではなく、また、上記した作用効果に限定されるものではない。また、シール装置１及びスイッチ装置２は、本発明の要旨を逸脱しない範囲内において種々変更を加え得ることは勿論である。例えば、下記する各種の変更例に係る構成や方法等を任意に一つ又は複数選択して、上記した実施形態に係る構成や方法等に採用してもよいことは勿論である。
【００７５】
（１）上記実施形態に係るスイッチ装置２は、阻止機構７を備えていることによって、操作部６の第１端部６ａが第１待機位置に位置する状態で、第２スイッチ４が第１状態から第２状態へ切り替えられることを阻止する、という構成である。しかしながら、スイッチ装置２は、斯かる構成に限られない。
【００７６】
例えば、図１０〜図１３に示すように、第２スイッチ４は、操作部６の第１端部６ａが第１待機位置に位置する状態で操作部６の第２端部６ｂが第２待機位置から第２操作位置に移動する際に、第２スイッチ４の第１状態が維持されるように、配置される、という構成でもよい。以下に、図１０〜図１３に係るスイッチ装置２について説明する。
【００７７】
図１０〜図１３に係る支持部５は、第１スイッチ３が所定位置に配置されるために、第１スイッチ３を固定する第１固定部５ｈと、第２スイッチ４が所定位置に配置されるために、第２スイッチ４を固定する第２固定部５ｉとを備えている。具体的には、各スイッチ３，４は、各固定部５ｈ，５ｉによって、支持部５の底面部５ａに固定されている。
【００７８】
そして、図１０に示すように、操作部６に外力が作用していない場合には、操作部６は、弾性部９によって、待機位置に位置している。具体的には、第１操作部６の第１端部６ａは、第１待機位置に位置しており、第２操作部６の第２端部６ｂは、第２待機位置に位置している。
【００７９】
まず、操作部６の第１端部６ａに、下方への力が加えられることによって、図１１に示すように、操作部６は、軸部８ａを中心に回動する。これにより、操作部６の第１端部６ａは、第１待機位置から下方に移動し、第１操作位置に位置する。このとき、操作部６の第１端部６ａが、第１スイッチ３の可動部３ｂを押すため、第１スイッチ３は、オフ（第１状態）からオン（第２状態）へ切り替えられる。
【００８０】
次に、図１１の状態から、操作部６の第２端部６ｂに、下方への力が加えられることによって、図１２に示すように、軸部８ａが支持部５の案内孔部５ｅに下方に案内される。これにより、操作部６の第２端部６ｂは、第２待機位置から下方に移動し、第２操作位置に位置する。その結果、操作部６の第２端部６ｂが、第２スイッチ４の可動部４ｂを押すため、第２スイッチ４は、オフ（第１状態）からオン（第２状態）へ切り替えられる。
【００８１】
ところで、図１３に示すように、操作部６の第１端部６ａが第１待機位置に位置する状態で、操作部６の第２端部６ｂが、第２待機位置から下方に移動して第２操作位置に位置する場合がある。しかしながら、第２スイッチ４が所定位置に配置されているため、第２スイッチ４の可動部４ｂが操作部６の第２端部６ｂから離れている。したがって、第２スイッチ４は、オフを維持し、オンに切り替わることはない。
【００８２】
このように、図１０〜図１３に係る構成によれば、操作部６の第１端部６ａが第１待機位置に位置する状態で、操作部６の第２端部６ｂが第２待機位置から第２操作位置に移動する際に、第２スイッチ４の第１状態（オフ）が維持される。これにより、第１スイッチ３が第１状態（オフ）から第２状態（オン）へ切り替えられる前に、第２スイッチ４が第１状態（オフ）から第２状態（オン）へ切り替えられることを防止することができる。
【００８３】
（２）また、上記実施形態に係るスイッチ装置２においては、阻止機構７は、支持部５に回動可能に接続される回動部７ｂを備えている、という構成である。しかしながら、スイッチ装置２は、斯かる構成に限られない。例えば、図１４〜図１７に示すように、阻止機構７は、第２スイッチ４と操作部６とを接続するリンク機構７ｆを備えている、という構成でもよい。以下に、図１４〜図１７に係るスイッチ装置２について説明する。
【００８４】
図１４〜図１７に係るリンク機構７ｆは、第２スイッチ４と操作部６とを接続するリンク体７ｇ，７ｈを備えており、阻止機構７は、第２スイッチ４を案内する案内部７ｉを備えている。なお、図１４〜図１７においては、リンク体７ｇ，７ｈは、二つ備えられている。
【００８５】
第１リンク体７ｇの第１端部は、操作部６の第１端部６ａに回転可能に接続されている。第１リンク体７ｇの第２端部は、第２リンク体７ｈの第１端部に回転可能に接続されている。第２リンク体７ｈの第２端部は、第２スイッチ４の本体部４ａに回転可能に接続されている。案内部７ｉは、支持部５に固定されており、第２スイッチ４の本体部４ａを案内している。
【００８６】
そして、図１４に示すように、操作部６に外力が作用していない場合には、操作部６は、弾性部９によって、待機位置に位置している。具体的には、第１操作部６の第１端部６ａは、第１待機位置に位置しており、第２操作部６の第２端部６ｂは、第２待機位置に位置している。
【００８７】
まず、操作部６の第１端部６ａに、下方への力が加えられることによって、図１５に示すように、操作部６は、軸部８ａを中心に回動する。これにより、操作部６の第１端部６ａは、第１待機位置から下方に移動し、第１操作位置に位置する。その結果、操作部６の第１端部６ａが、第１スイッチ３の可動部３ｂを押すため、第１スイッチ３は、オフ（第１状態）からオン（第２状態）へ切り替えられる。
【００８８】
また、操作部６の第１端部６ａが下方に移動することに伴って、リンク機構７ｆは、第２スイッチ４を支持部５に対して移動させる。具体的には、操作部６の第１端部６ａが下方に移動することに伴って、第２スイッチ４が上方に移動するため、第２スイッチ４は、操作部６の第２端部６ｂに近づく。
【００８９】
次に、図１５の状態から、操作部６の第２端部６ｂに、下方への力が加えられることによって、図１６に示すように、軸部８ａが支持部５の案内孔部５ｅに下方に案内される。これにより、操作部６の第２端部６ｂは、第２待機位置から下方に移動し、第２操作位置に位置する。その結果、操作部６の第２端部６ｂが、第２スイッチ４の可動部４ｂを押すため、第２スイッチ４は、オフ（第１状態）からオン（第２状態）へ切り替えられる。
【００９０】
ところで、図１７に示すように、操作部６の第１端部６ａが第１待機位置に位置する状態で、操作部６の第２端部６ｂが、第２待機位置から下方に移動して第２操作位置に位置する場合がある。しかしながら、第２スイッチ４が上方に移動していないため、第２スイッチ４の可動部４ｂが操作部６の第２端部６ｂから離れている。したがって、第２スイッチ４は、オフを維持し、オンに切り替わることはない。
【００９１】
（３）また、上記実施形態に係るスイッチ装置２においては、接続部８は、操作部６の孔部６ｈに挿入される軸部８ａを備え、支持部５は、軸部８ａが挿入され且つ軸部８ａを上下方向Ｄ３に案内する案内孔部５ｅを備える、という構成である。しかしながら、スイッチ装置２は、斯かる構成に限られない。例えば、図１８及び図１９に示すように、接続部８は、操作部６の孔部６ｈに挿入される軸部８ａと、支持部５に上下方向Ｄ３に案内される被案内部８ｃとを備えており、支持部５は、接続部８の被案内部８ｃを案内する案内部５ｊを備えている、という構成でもよい。
【００９２】
図１８及び図１９に係る接続部８は、軸部８ａに連結される接続本体部８ｄを備えている。接続本体部８ｄは、板状に形成されていると共に、支持部５の第３支持壁５ｄと操作部６の第３操作壁６ｇとの間に配置されている。被案内部８ｃは、接続本体部８ｄに凹状に形成されていると共に、上下方向Ｄ３に沿って延びており、案内部５ｊは、第３支持壁５ｄに凸状に形成されていると共に、上下方向Ｄ３に沿って延びている。なお、被案内部８ｃが凸状に形成されており、案内部５ｊが凹状に形成されていてもよい。
【００９３】
図１８及び図１９に係る構成によれば、操作部６が軸部８ａを中心に支持部５に対して回動することによって、操作部６の第１端部６ａが上下方向Ｄ３に移動できる。また、被案内部８ｃが案内部５ｊに上下方向Ｄ３に案内されることによって、操作部６の第２端部６ｂが上下方向Ｄ３に移動できる。
【００９４】
（４）また、上記実施形態に係るスイッチ装置２においては、軸部８ａは、操作部６の孔部６ｈに挿通され、操作部６は、軸部８ａに対して回動可能である、という構成である。しかしながら、スイッチ装置２は、斯かる構成に限られない。例えば、図２０及び図２１に示すように、軸部８ａは、操作部６と一体となって回動する、という構成でもよい。
【００９５】
図２０及び図２１に係る軸部８ａは、操作部６の第３操作壁６ｇから内方に突出している。そして、軸部８ａは、支持部５の案内孔部５ｅに挿入されている。なお、軸部８ａは、操作部６と一体に成形されている、という構成でもよく、また、例えば、軸部８ａは、固定具によって、操作部６と一体となるように形成されている、という構成でもよい。
【００９６】
（５）また、上記実施形態に係るスイッチ装置２においては、操作部６が支持部５に対して回動することによって、操作部６の第１端部６ａが下方に移動し、第１スイッチ３が第１状態から第２状態へ切り替えられ、接続部８が支持部５に下方に案内されることによって、操作部６の第２端部６ｂが下方に移動し、第２スイッチ４が第１状態から第２状態へ切り替えられる、という構成である。しかしながら、スイッチ装置２は、斯かる構成に限られない。
【００９７】
例えば、図２２〜図２５に示すように、接続部８が支持部５に下方に案内されることによって、操作部６の第１端部６ａが下方に移動し、第１スイッチ３が第１状態から第２状態へ切り替えられ、操作部６が支持部５に対して回動することによって、操作部６の第２端部６ｂが下方に移動し、第２スイッチ４が第１状態から第２状態へ切り替えられる、という構成でもよい。以下に、図２２〜図２５に係るスイッチ装置２について説明する。
【００９８】
操作部６は、第１端部６ａで軸部８ａに接続されている。そして、図２２に示すように、操作部６に外力が作用していない場合には、操作部６は、弾性部９によって、待機位置に位置している。具体的には、第１操作部６の第１端部６ａは、第１待機位置に位置しており、第２操作部６の第２端部６ｂは、第２待機位置に位置している。
【００９９】
まず、操作部６の第１端部６ａに、下方への力が加えられることによって、図２３に示すように、軸部８ａが支持部５の案内孔部５ｅに下方に案内される。これにより、操作部６の第１端部６ａは、第１待機位置から下方に移動し、第１操作位置に位置する。このとき、操作部６の第１端部６ａが、第１スイッチ３の可動部３ｂを押すため、第１スイッチ３は、オフ（第１状態）からオン（第２状態）へ切り替えられる。
【０１００】
次に、図２３の状態から、操作部６の第２端部６ｂに、下方への力が加えられることによって、図２４に示すように、操作部６は、軸部８ａを中心に回動する。これにより、操作部６の第２端部６ｂは、第２待機位置から下方に移動し、第２操作位置に位置する。
【０１０１】
このとき、回動部７ｂの第１回動部分７ｄが、操作部６と支持部５とに挟まれているため、回動部７ｂの回動が規制されている。これにより、操作部６の第２端部６ｂが、第２スイッチ４の可動部４ｂを押すため、第２スイッチ４は、オフ（第１状態）からオン（第２状態）へ切り替えられる。
【０１０２】
ところで、図２５に示すように、操作部６の第１端部６ａが第１待機位置に位置する状態で、操作部６の第２端部６ｂが、第２待機位置から下方に移動して第２操作位置に位置する場合がある。しかしながら、操作部６の第２端部６ｂが第２スイッチ４に接触することに伴って、回動部７ｂが回動する。これにより、操作部６の第２端部６ｂが第２スイッチ４の可動部４ｂを押すことができないため、第２スイッチ４は、オフを維持し、オンに切り替わることはない。
【０１０３】
このように、図２２〜図２５に係るスイッチ装置２は、オンオフ状態を切り替える第１スイッチ３及び第２スイッチ４と、前記第１スイッチ３及び前記第２スイッチ４を支持する支持部５と、前記支持部５よりも上方に配置され、第２端部６ｂが前記支持部５に対して上下方向Ｄ３に移動可能なように、前記支持部５に対して回動可能な操作部６と、前記支持部５と前記操作部６とを接続し、前記操作部６の第１端部６ａが前記支持部５に対して上下方向Ｄ３に移動可能なように、前記支持部５に上下方向Ｄ３に案内される接続部８と、前記操作部６の第１端部６ａが第１待機位置に位置し且つ前記操作部６の第２端部６ｂが第２待機位置に位置するように、前記操作部６に上方への力を加える弾性部９と、を備え、前記第１スイッチ３は、前記第１端部６ａが前記第１待機位置から下方に移動して第１操作位置に位置することによって、第１状態（図２２〜図２５においては、オフ）から第２状態（図２２〜図２５においては、オン）へ切り替えられ、前記第２スイッチ４は、前記第１端部６ａが前記第１操作位置に位置する状態で前記第２端部６ｂが前記第２待機位置から下方に移動して第２操作位置に位置することによって、第１状態（図２２〜図２５においては、オフ）から第２状態（図２２〜図２５においては、オン）へ切り替えられる。
【０１０４】
斯かる構成によれば、接続部８が支持部５に下方に案内されることによって、操作部６の第１端部６ａが第１待機位置から下方に移動して第１操作位置に位置する。これにより、第１スイッチ３は、第１状態から第２状態へ切り替えられる。
【０１０５】
そして、操作部６の第１端部６ａが第１操作位置に位置する状態で、操作部６が支持部５に対して回動することによって、操作部６の第２端部６ｂが第２待機位置から下方に移動して第２操作位置に位置する。これにより、第２スイッチ４は、第１状態から第２状態へ切り替えられる。
【０１０６】
このように、第１スイッチ３及び第２スイッチ４の切り替えは、異なる動作である。しかも、第１スイッチ３を第１状態から第２状態へ切り替えた状態で、第２スイッチ４を第１状態から第２状態へ切り替えることができる。
【０１０７】
（６）また、上記実施形態に係るスイッチ装置２においては、スイッチ３，４は、メカニカルバルブである、という構成である。即ち、スイッチ３，４は、操作部６の端部６ａ，６ｂに接触することで（具体的には、押されることで）オンオフ状態を切り替える、という構成である。しかしながら、スイッチ装置２は、斯かる構成に限られない。
【０１０８】
例えば、スイッチ３，４の少なくとも一方は、電気センサ（近接センサ、光電センサ、接触センサ）である、という構成でもよい。斯かる構成においては、伝達部１ｆは、線材（電線）となる。要するに、スイッチ３，４は、操作部６の端部６ａ，６ｂの変位を検出し、オンオフ状態を切り替える、という構成であればよい。
【０１０９】
（７）また、上記実施形態に係るスイッチ装置２においては、第１及び第２スイッチ３，４の第１状態が、オフであり、第１及び第２スイッチ３，４の第２状態が、オンである、という構成である。しかしながら、スイッチ装置２は、斯かる構成に限られない。例えば、第１及び第２スイッチ３，４の少なくとも一方の第１状態が、オンであり、第１及び第２スイッチ３，４の少なくとも一方の第２状態が、オフである、という構成でもよい。
【０１１０】
（８）また、上記実施形態に係るスイッチ装置２においては、操作部６の第１端部６ａが第１待機位置に位置する状態で、操作部６の第２端部６ｂが第２待機位置から第２操作位置に移動する際に、第２スイッチ４は、第１状態（オフ）を維持し、第１状態から第２状態（オン）へ切り替わらない、という構成である。しかしながら、スイッチ装置２は、斯かる構成に限られない。例えば、操作部６の第１端部６ａが第１待機位置に位置する状態で、操作部６の第２端部６ｂが第２待機位置から第２操作位置に移動する際に、第２スイッチ４は、第１状態から第２状態へ切り替えられる、という構成でもよい。
【０１１１】
（９）また、上記実施形態に係るスイッチ装置２においては、操作部６が待機位置に位置する際に、弾性部９が操作部６の第２端部６ｂに加える上方への力は、弾性部９が操作部６の第１端部６ａに加える上方への力よりも、大きい、という構成である。しかしながら、スイッチ装置２は、斯かる構成に限られない。例えば、操作部６が待機位置に位置する際に、弾性部９が操作部６の第２端部６ｂに加える上方への力の大きさは、弾性部９が操作部６の第１端部６ａに加える上方への力の大きさ以下である、という構成でもよい。
【０１１２】
（１０）また、上記実施形態に係るスイッチ装置２は、足で操作されるフットスイッチ装置である、という構成である。しかしながら、スイッチ装置２は、斯かる構成に限られない。例えば、スイッチ装置２は、手で操作される、例えば、手のひらを操作面部６ｄの上に載せて操作される、という構成でもよい。また、例えば、スイッチ装置２は、床の上に置かれて操作される、という構成でもよく、また、例えば、スイッチ装置２は、壁に取り付けられて操作される、という構成でもよい。
【０１１３】
（１１）また、上記実施形態に係るスイッチ装置２は、シール装置１に用いられている、という構成である。しかしながら、スイッチ装置２は、斯かる構成に限られない。例えば、スイッチ装置２は、各種の装置、例えば、医療装置に用いられている、という構成でもよい。
【符号の説明】
【０１１４】
１…シール装置、１ａ…第１シール部、１ｂ…第２シール部、１ｃ…シール動作部、１ｄ…加熱動作部、１ｅ…筐体、１ｆ…伝達部、２…スイッチ装置、３…第１スイッチ、３ａ…本体部、３ｂ…可動部、３ｃ…入力部、３ｄ…出力部、４…第２スイッチ、４ａ…本体部、４ｂ…可動部、４ｃ…入力部、４ｄ…出力部、５…支持部、５ａ…底面部、５ｂ…第１支持壁、５ｃ…第２支持壁、５ｄ…第３支持壁、５ｅ…案内孔部、５ｆ…第１停止部、５ｇ…第２停止部、５ｈ…第１固定部、５ｉ…第２固定部、５ｊ…案内部、６…操作部、６ａ…第１端部、６ｂ…第２端部、６ｃ…中央部、６ｄ…操作面部、６ｅ…第１操作壁、６ｆ…第２操作壁、６ｇ…第３操作壁、６ｈ…孔部、７…阻止機構、７ａ…連結軸部、７ｂ…回動部、７ｃ…固定具、７ｄ…第１回動部分、７ｅ…第２回動部分、７ｆ…リンク機構、７ｇ…第１リンク体、７ｈ…第２リンク体、７ｉ…案内部、８…接続部、８ａ…軸部、８ｂ…固定具、８ｃ…被案内部、８ｄ…接続本体部、９…弾性部、９ａ…第１弾性部材、９ｂ…第２弾性部材、１０…保持部
【図１】
2020027685.tif 000003
【図２】
2020027685.tif 000004
【図３】
2020027685.tif 000005
【図４】
2020027685.tif 000006
【図５】
2020027685.tif 000007
【図６】
2020027685.tif 000008
【図７】
2020027685.tif 000009
【図８】
2020027685.tif 000010
【図９】
2020027685.tif 000011
【図１０】
2020027685.tif 000012
【図１１】
2020027685.tif 000013
【図１２】
2020027685.tif 000014
【図１３】
2020027685.tif 000015
【図１４】
2020027685.tif 000016
【図１５】
2020027685.tif 000017
【図１６】
2020027685.tif 000018
【図１７】
2020027685.tif 000019
【図１８】
2020027685.tif 000020
【図１９】
2020027685.tif 000021
【図２０】
2020027685.tif 000022
【図２１】
2020027685.tif 000023
【図２２】
2020027685.tif 000024
【図２３】
2020027685.tif 000025
【図２４】
2020027685.tif 000026
【図２５】
2020027685.tif 000027